(57)【要約】【課題】無端ベルト表面の清掃のために設けられる複数の清掃ローラの圧着及び解除を同時に行うことができると共に、簡単な構造で、それら複数の清掃ローラの解除量を等しくすることができるベルト搬送装置及び画像記録装置を提供すること。【解決手段】複数のベルト張架ローラ21に亘って架け渡され、被搬送物を上面に載置して搬送する無端ベルト23と、無端ベルト23の搬送方向に沿って間隔をおいて並設されると共に、無端ベルト23の幅方向に亘ってそれぞれ当接可能に設けられ、無端ベルト23表面の清掃を行うための複数の清掃ローラ42,43と、複数の清掃ローラ42,43の両端部をそれぞれ支持し、複数の清掃ローラ42,43の無端ベルト23表面に対する圧着及び解除を同時に行うリンク機構5とを有することを特徴とする。【選択図】図２
2012116618.tif 000002
【特許請求の範囲】
【請求項１】
複数のベルト張架ローラに亘って架け渡され、被搬送物を上面に載置して搬送する無端ベルトと、
前記無端ベルトの搬送方向に沿って間隔をおいて並設されると共に、前記無端ベルトの幅方向に亘ってそれぞれ当接可能に設けられ、前記無端ベルト表面の清掃を行うための複数の清掃ローラと、
前記複数の清掃ローラの両端部をそれぞれ支持し、前記複数の清掃ローラの前記無端ベルト表面に対する圧着及び解除を同時に行うリンク機構とを有することを特徴とするベルト搬送装置。
【請求項２】
前記リンク機構は、前記清掃ローラ毎に設けられた支持プレートと、前記各支持プレートを共通に支持し、前記無端ベルト表面に対して近接する方向及び離反する方向に移動可能に設けられたリンクプレートと、前記リンクプレートを移動操作するための操作レバーとを有し、
前記各支持プレートは、それぞれ独立した固定支点を挟んで一端部が前記各清掃ローラの軸部を回転可能にそれぞれ支持し、他端部が前記リンクプレートの一端部に共通に回動可能に支持され、前記操作レバーによって操作される前記リンクプレートの移動によって前記各固定支点を中心に回動することで、該各支持プレートの一端部側が前記無端ベルト表面に対して近接又は離反動作し、近接動作時に前記各清掃ローラを前記無端ベルト表面に同時に圧着させ、離反動作時に前記各清掃ローラを前記無端ベルト表面から同時に解除させることを特徴とする請求項１記載のベルト搬送装置。
【請求項３】
前記複数の清掃ローラがそれぞれ接液する清掃液を貯水し、前記無端ベルト表面に対して位置不動に設けられた清掃桶を有することを特徴とする請求項１又は２記載のベルト搬送装置。
【請求項４】
請求項１、２又は３記載のベルト搬送装置と、
前記被搬送物として記録媒体を用い、前記無端ベルトの上面に載置された前記記録媒体上に画像データに基づいてインクを吐出して記録を行う記録手段とを備えることを特徴とする画像記録装置。
【発明の詳細な説明】
【技術分野】
【０００１】
本発明は、ベルト搬送装置及び画像記録装置に関し、詳しくは、無端ベルト表面を清掃するための複数の清掃ローラの圧着及び解除動作を同時に行うことのできるベルト搬送装置及び画像記録装置に関する。
【背景技術】
【０００２】
近年、紙、布帛等の種々の記録媒体に対して高精細な画像を記録する装置として、インクジェット方式による画像記録装置が広く普及している。特に、記録媒体が長尺ウェブ状である場合には、無端ベルトを有するベルト搬送装置を使用し、記録媒体を無端ベルト上に密着させて搬送することが行われている。
【０００３】
その際、記録媒体のミスフィードやいわゆる縁なし印刷、インクの裏抜け等のために、記録ヘッドから吐出されたインクが無端ベルトに付着する場合があり、無端ベルトに付着したインクが無端ベルト上に新たに供給されてきた記録媒体に転移して記録媒体を汚してしまう等のトラブルが生じる。
【０００４】
また、記録媒体は、その種類によって紙粉や糸くず、前処理剤等の汚染物質を発生する場合があり、これらが無端ベルト上のインクと混合して異物として付着してしまう場合がある。
【０００５】
無端ベルトに付着した異物を放置した場合、これが新たに供給される記録媒体の裏面に付着して製品品質を低下させたり、無端ベルトと記録媒体との間の摩擦に影響を与えて記録媒体の搬送を不安定化させたりする問題が生じる。
【０００６】
そのため、通常、このようなベルト搬送装置又は画像記録装置には、無端ベルトの表面に付着した異物を、清掃ローラを当接させてクリーニングするためのベルトクリーニング装置が設けられている。
【０００７】
このようなベルトクリーニング装置では、清掃ローラによる清掃を効率的に行うため、ブラシローラやスポンジローラ等からなる清掃ローラの一部を清掃液に浸漬させ、ローラの回転によって清掃液を無端ベルト表面に付着させて清掃を行うものが一般的である。
【０００８】
ところで、清掃ローラは、無端ベルトの表面に記録媒体を粘性によって密着させるための地張り剤を塗布する際や清掃ローラのメンテナンスを行う際等は、該清掃ローラを無端ベルトの表面から離反させ、当接状態を解除するようにしている。
【０００９】
従来、無端ベルトの搬送方向に沿って複数の清掃ローラとこれら清掃ローラを収容する水受け皿を備え、シリンダの駆動によって水受け皿ごと上下動させる構成が知られている（特許文献１）。
【００１０】
しかし、シリンダを用いる構成では高コストとなる問題があり、より簡素で低コストに実施できる構造が望まれている。
【００１１】
そこで、本発明者は、清掃ローラを支持する支持体を、一つの回動軸を中心に回動可能に設け、この支持体を回動操作することによって、清掃ローラを無端ベルト表面から離反させる構成を提案している（特許文献２）。
【００１２】
この構成を図４に示す。
【００１３】
図中、１００は無端ベルト、２００は無端ベルト１００の表面を清掃するための清掃ローラ、２０１は清掃ローラ２００を回転可能に支持する支持体、２０２は支持体２０１の回動軸、３００は清掃液が貯水された清掃桶である。
【００１４】
図４（ａ）は、清掃ローラ２００が無端ベルト１００の表面に対して圧着して清掃を行っている状態である。この状態から清掃ローラ２００の圧着を解除するべく、図４（ｂ）に示すように、支持体２０１を回動軸２０２を中心に下方向に回動させると、その回動量に応じて清掃ローラ２００も下動し、無端ベルト１００の表面から離反して圧着は解除される。
【００１５】
この特許文献２記載のように、清掃ローラを支持する支持体を一つの回動軸を中心に回動可能に設ける構成によれば、支持体を回動させるだけで清掃ローラの圧着及び解除を行うことができるため、シリンダ等の駆動機構を付加する必要なく、構造簡単に構成することができる上に、圧着及び解除のための操作も、必要に応じてオペレータが手動操作するだけで容易に行うことができる利点がある。
【先行技術文献】
【特許文献】
【００１６】
【特許文献１】特開平１１−１９２６９４号公報
【特許文献２】特開２００９−２４２０１８号公報
【発明の概要】
【発明が解決しようとする課題】
【００１７】
しかしながら、清掃ローラの圧着及び解除について本発明者が更に検討したところ、次のような新たな課題が見出された。
【００１８】
すなわち、図５に示すように、クリーニング効率を向上させるために無端ベルト１００の搬送方向に沿って複数の清掃ローラ２００Ａ、２００Ｂを並設した場合、圧着及び解除のための操作を簡略化するために、これら複数の清掃ローラ２００Ａ、２００Ｂを同時に圧着及び解除させるようにするには、支持体２０１によって、これら複数の清掃ローラ２００Ａ、２００Ｂを共通に支持して一体に回動させる必要がある。このため、無端ベルト１００の搬送方向に沿う支持体２０１の長さは、清掃ローラ２００Ａ、２００Ｂの並設長さの分だけ長くなる。
【００１９】
このように支持体２０１が長くなると、図５（ａ）に示す圧着状態から、一つの回動軸２０２を中心として回動させて解除状態とした場合、図５（ｂ）に示すように、各清掃ローラ２００Ａ、２００Ｂで、回動軸２０２からの離間距離によって解除量、すなわち無端ベルト１００の表面からの離間距離が異なってしまう。
【００２０】
この場合、回動軸２０１に近い側の清掃ローラ２００Ｂの解除量は、遠い側の清掃ローラ２００Ａの解除量よりも小さくなるため、メンテナンス時のアクセスが困難となり、メンテナンス性が悪いという問題があった。
【００２１】
また、図示するように、清掃ローラ２００Ａ、２００Ｂの下方に、一部浸漬するように清掃液を貯水する清掃桶３００が設けられる場合、この清掃桶３００は、内部の清掃液がこぼれることのないように、清掃ローラ２００Ａ、２００Ｂの圧着及び解除動作時には動かないように配置されているが、回動軸２０２に近い側の清掃ローラ２００Ｂのアクセスを容易にするために支持体２０１の回動量を大きくして解除量を大きくとると、回動軸２０２に遠い側の清掃ローラ２００Ａが清掃桶内に大きく沈み込むようになるため、清掃液が溢れ出てしまうおそれがあり、解除量を大きくとることができない問題があった。
【００２２】
そこで、本発明は、無端ベルト表面の清掃のために設けられる複数の清掃ローラの圧着及び解除を同時に行うことができると共に、簡単な構造で、それら複数の清掃ローラの解除量を等しくすることができるベルト搬送装置及び画像記録装置を提供することを課題とする。
【００２３】
本発明の他の課題は、以下の記載によって明らかとなる。
【課題を解決するための手段】
【００２４】
上記課題は、以下の各発明によって解決される。
【００２５】
請求項１記載の発明は、複数のベルト張架ローラに亘って架け渡され、被搬送物を上面に載置して搬送する無端ベルトと、
前記無端ベルトの搬送方向に沿って間隔をおいて並設されると共に、前記無端ベルトの幅方向に亘ってそれぞれ当接可能に設けられ、前記無端ベルト表面の清掃を行うための複数の清掃ローラと、
前記複数の清掃ローラの両端部をそれぞれ支持し、前記複数の清掃ローラの前記無端ベルト表面に対する圧着及び解除を同時に行うリンク機構とを有することを特徴とするベルト搬送装置である。
【００２６】
請求項２記載の発明は、前記リンク機構は、前記清掃ローラ毎に設けられた支持プレートと、前記各支持プレートを共通に支持し、前記無端ベルト表面に対して近接する方向及び離反する方向に移動可能に設けられたリンクプレートと、前記リンクプレートを移動操作するための操作レバーとを有し、
前記各支持プレートは、それぞれ独立した固定支点を挟んで一端部が前記各清掃ローラの軸部を回転可能にそれぞれ支持し、他端部が前記リンクプレートの一端部に共通に回動可能に支持され、前記操作レバーによって操作される前記リンクプレートの移動によって前記各固定支点を中心に回動することで、該各支持プレートの一端部側が前記無端ベルト表面に対して近接又は離反動作し、近接動作時に前記各清掃ローラを前記無端ベルト表面に同時に圧着させ、離反動作時に前記各清掃ローラを前記無端ベルト表面から同時に解除させることを特徴とする請求項１記載のベルト搬送装置である。
【００２７】
請求項３記載の発明は、前記複数の清掃ローラがそれぞれ接液する清掃液を貯水し、前記無端ベルト表面に対して位置不動に設けられた清掃桶を有することを特徴とする請求項１又は２記載のベルト搬送装置である。
【００２８】
請求項４記載の発明は、請求項１、２又は３記載のベルト搬送装置と、
前記被搬送物として記録媒体を用い、前記無端ベルトの上面に載置された前記記録媒体上に画像データに基づいてインクを吐出して記録を行う記録手段とを備えることを特徴とする画像記録装置である。
【発明の効果】
【００２９】
本発明によれば、無端ベルト表面の清掃のために設けられる複数の清掃ローラの圧着及び解除を同時に行うことができると共に、簡単な構造で、それら複数の清掃ローラの解除量を等しくすることができるベルト搬送装置及び画像記録装置を提供することができる。
【図面の簡単な説明】
【００３０】
【図１】本発明に係る画像記録装置の一例を示す概略構成図
【図２】清掃ローラの圧着及び解除を行うリンク機構を示す概略図であり、清掃ローラの圧着状態を示す側面図
【図３】清掃ローラの圧着及び解除を行うリンク機構を示す概略図であり、清掃ローラの解除状態を示す側面図
【図４】従来の清掃ローラの圧着及び解除機構の説明図
【図５】従来の清掃ローラの圧着及び解除機構の説明図
【発明を実施するための形態】
【００３１】
以下、図面を参照して本発明を実施するための形態を説明する。
【００３２】
図１は、本発明に係る画像記録装置の一例を示す概略構成図であり、図中、１は画像記録装置であり、この画像記録装置１は、ベルト搬送装置２、記録ヘッド３、ベルトクリーニング装置４を備えている。
【００３３】
ベルト搬送装置２は、所定の間隔をおいて平行に配置された複数（図示の例では２つ）のベルト張架ローラ２１、２２に亘って所定幅の無端ベルト２３が張架されている。これらベルト張架ローラ２１、２２間に架け渡された無端ベルト２３の上面は、被搬送物である記録媒体Ｐを密着させて載置する載置面とされている。
【００３４】
一方のベルト張架ローラ２１は図示しない副走査モータに対して駆動力を伝達可能に接続された駆動ローラ、他方のベルト張架ローラ２２は従動ローラであり、駆動ローラ２１が副走査モータの回転駆動によって、図１において反時計回りに所定の速度で回転することにより、従動ローラ２２との間に架け渡された無端ベルト２３を回転移動させ、その上面に載置される記録媒体Ｐを副走査方向である図中のＡ方向に向けて搬送するようになっている。
【００３５】
記録媒体Ｐには、例えば、紙、布帛、プラスチックフィルム、ガラス板等、インクジェット記録に通常使用される記録媒体を使用することができる。記録媒体Ｐは所定サイズに裁断されたシート状であってもよいし、ロール状に巻回された元巻から連続して繰り出される長尺状であってもよい。特に、布帛は、インクが裏抜けし易いため、無端ベルト２３の表面にインクが付着するおそれが高く、後述するベルトクリーニング装置４を備えることによって特に顕著な効果が得られるために好ましい。
【００３６】
記録ヘッド３は、無端ベルト２３上の記録媒体Ｐが載置される面の上方に所定の間隔をおいて配設されており、その下面に設けられた多数のノズル（図示せず）からインク滴を吐出することにより、間欠的に搬送される記録媒体Ｐ上に所望の画像を記録するインクジェットヘッドである。この記録ヘッド３は、図示しないキャリッジに搭載されて、画像記録時に記録媒体Ｐの搬送方向と直交する主査方向に往復移動するシャトル型の記録ヘッドであってもよいし、無端ベルト２３の幅方向に亘って固定状に架け渡され、連続的に搬送される記録媒体Ｐ上にインク滴を吐出することによって画像を記録するライン型の記録ヘッドであってもよい。
【００３７】
ベルトクリーニング装置４は、本発明において駆動ローラ２１の近傍に配置されており、無端ベルト２３の搬送方向に沿って順に配設される散水パイプ４１、ブラシローラ４２、吸液ローラ４３を有している。
【００３８】
散水パイプ４１は、無端ベルト２３の全幅に亘る長さを有し、該無端ベルト２３の表面に対向する部位に、長さ方向に沿って多数の散水ノズル（図示せず）が配列されてなり、清掃液を供給ポンプ４１ａの駆動によって無端ベルト２３の表面に向けて噴射することにより、該無端ベルト２３の表面に付着したインクや糸くず等を含む異物を洗浄する。
【００３９】
ブラシローラ４２は、無端ベルト２３の表面を清掃するための第１の清掃ローラであり、無端ベルト２３の全幅に亘って架け渡された回転軸の周囲にブラシ毛が植毛されてローラ状に形成されている。清掃時は、ブラシ毛の先端は、散水パイプ４１による散水位置よりも無端ベルト２３の搬送方向下流側において無端ベルト２３の表面に当接状態にあり、不図示の駆動モータによって無端ベルト２３の搬送方向と逆方向に回転することにより、該無端ベルト２３の表面を摺擦し、上流側の散水パイプ４１による清掃液の散水によって洗浄された異物を無端ベルト２３の表面から除去する。
【００４０】
ブラシローラ４２の下部には、内部に清掃液が貯水された清掃桶４４が配置されている。清掃桶４４は無端ベルト２３の表面に対する位置が固定されている。ブラシローラ４２は、この清掃桶４４内の清掃液に一部浸漬しており、回転時に清掃液を掻き上げることにより、異物の除去効果を高めている。
【００４１】
なお、散水パイプ４１は、散水チューブ４１ｂによってこの清掃桶４４の内部と連通しており、清掃桶４４内の清掃液を供給ポンプ４１ａの駆動によって噴射し、無端ベルト２３の表面から滴下した清掃液が再び清掃桶４４に収容されて再利用されるようになっている。
【００４２】
吸液ローラ４３は、無端ベルト２３の表面を清掃するための第２の清掃ローラであり、無端ベルト２３の全幅に亘って架け渡された回転軸の周囲に、例えばスポンジ等の吸液性の高い多孔質体が巻回されてローラ状に形成されている。清掃時は、その表面が、ブラシローラ４２による当接位置よりも無端ベルト２３の搬送方向下流側において無端ベルト２３の表面に当接状態にあり、無端ベルト２３の回転移動に従動して回転することにより、該無端ベルト２３の表面に付着した清掃液を吸収し、該無端ベルト２３の表面から除去する。
【００４３】
吸液ローラ４３の下部には、内部に清掃液が貯水された清掃桶４５が配置されている。清掃桶４５は無端ベルト２３の表面に対する位置が固定されている。吸液ローラ４３は、この清掃桶４５内の清掃液に一部浸漬しており、従動回転によって常に洗浄されようになっている。
【００４４】
次に、これらブラシローラ４２及び吸液ローラ４３の圧着及び解除機構の一例について、図２、図３を用いて説明する。
【００４５】
図２は、ブラシローラ４２及び吸液ローラ４３の圧着及び解除を行うリンク機構を示す概略図であり、ブラシローラ４２及び吸液ローラ４３の圧着状態を示す側面図、図３は、その解除状態を示す側面図である。
【００４６】
なお、リンク機構は、ブラシローラ４２及び吸液ローラ４３の両端部側にそれぞれ設けられるが、いずれも同一構成であるため、ここでは一方の端部に設けられたリンク機構について説明する。また、図２、図３では散水パイプ４１、供給ポンプ４１ａ、散水チューブ４１ｂを図示省略している。
【００４７】
リンク機構５は、ブラシローラ４２を支持する支持プレート５１Ａと、吸液ローラ４３を支持する支持プレート５１Ｂと、各支持プレート５１Ａ、５１Ｂを共通に支持する１つのリンクプレート５２と、このリンクプレート５２を移動操作するための操作レバー５３を有している。
【００４８】
支持プレート５１Ａは、細長状のプレートによって形成され、そのほぼ中央部が、ベルト搬送装置２の側板６に回動軸（固定支点）５１１Ａによって回転可能に軸支され、その一端部においてブラシローラ４２の軸部４２１を回転可能に支持している。
【００４９】
支持プレート５１Ｂは、細長状のプレートによって形成され、そのほぼ中央部が、ベルト搬送装置２の側板６に回動軸（固定支点）５１１Ｂによって回転可能に軸支され、その一端部において吸液ローラ４３の軸部４３１を回転可能に支持している。
【００５０】
これら支持プレート５１Ａ、５１Ｂの他端部は、一つの回動軸（自由支点）５２１に回動可能に支持されており、この回動軸５２１に、リンクプレート５２の一端部が接続されている。
【００５１】
リンクプレート５２は、細長状のプレートによって形成され、図示上方に位置する一端部の回動軸５２１と、図示下方に位置する他端部の回動軸（自由支点）５２２とが、無端ベルト２３の表面に対して近接する方向及び離反する方向に移動可能となるように取り付けられている。具体的には、リンクプレート５２は、ブラシローラ４２と吸液ローラ４３との間に対して接離する方向に移動するように取り付けられることで、無端ベルト２３の表面に対して近接する方向及び離反する方向に移動可能とされている。
【００５２】
操作レバー５３は、細長状のプレートによって形成され、リンクプレート５２の長さ方向に対してＬ字状をなすように配置され、そのほぼ中央部において回動軸（固定支点）５３１によって側板６に対して回動可能に軸支されている。操作レバー５３の一端部近傍は、リンクプレート５２の図示下方の回動軸５２２に対して回動可能に取り付けられている。
【００５３】
この回動軸５２２よりも更に操作レバー５３の端部５３２には、側板６から突設する突部６１との間に、引っ張りバネからなる付勢バネ５３３が取り付けられており、該端部５３２を突部６１側に向けて常時付勢することにより、リンク機構５のガタつきを防止するようになっている。
【００５４】
操作レバー５３の他端部には、この操作レバー５３を圧着状態に固定し、固定を解除することによってブラシローラ４２と吸液ローラ４３の解除を行うための係止部５４が設けられている。この係止部５４は、操作レバー５３の他端部に設けられた回動軸５４１に回動可能に取り付けられた摘み片５４２と、この摘み片５４２における回動軸５４１よりも先端寄りに回動可能に取り付けられた係止リング５４３とを有している。
【００５５】
側板６において、この操作レバー５３の他端部の上方に位置する部位には、フック取付け部６２が突設されており、このフック取付け部６２には、係止リング５４３が係止されるフック５５が設けられている。
【００５６】
従って、係止リング５４３をこのフック５５に係止させ、摘み片５４２を図示下方向に回動させると、係止リング５４３がフック５５を下方向に引っ張るように作用し、操作レバー５３は固定されて回動不能状態となる。この状態では、図２に示すように、リンクプレート５２は、各支持プレート５１Ａ、５１Ｂを下方向に引っ張った状態となるため、各支持プレート５１Ａ、５１Ｂは、回動軸５１１Ａ、５１１Ｂを中心にして、その一端部同士が互いに近接する方向に移動する。これにより、ブラシローラ４２と吸液ローラ４３は、無端ベルト２３の表面にそれぞれ圧着した状態に維持される。
【００５７】
この圧着状態から、摘み片５４２を回動操作して、図３に示すように、係止リング５４３とフック５５との係止状態を解除し、回動軸５３１を中心にして操作レバー５３の係止部５４側を図示反時計方向に回動させると、操作レバー５３の一端部側が上方に移動し、回動軸５２２を上方に押し上げる。
【００５８】
この回動軸５２２の上方への押し上げによって、リンクプレート５２は、ブラシローラ４２と吸液ローラ４３との間に向けて無端ベルト２３の表面に向けて近接するように上方に移動する。すると、リンクプレート５２の上方の回動軸５２１に共通に支持されている支持プレート５１Ａ、５１Ｂは、それぞれの回動軸５１１Ａ、５１１Ｂを中心にしてその一端部同士が互いに離反する方向に同時に回動する。この支持プレート５１Ａ、５１Ｂの回動によって、その一端部は無端ベルト２３の表面に対して離反する方向に移動し、該一端部に軸部４２１、４３１が回転可能に支持されているブラシローラ４２及び吸液ローラ４３を無端ベルト２３の表面から離反する方向に移動させる。これにより、ブラシローラ４２及び吸液ローラ４３は、圧着状態が同時に解除される。
【００５９】
この解除動作時、操作レバー５３の端部５３２は、突部６１との間に設けられた付勢バネ５３３によって常時下方向に付勢されるため、リンク機構５のガタつきは生じず、スムーズに解除される。
【００６０】
操作レバー５３が所定の解除位置まで回動したら、例えば側板６に出没可能に設けた保持突起６３を突出状態にし、操作レバー５３の回動軸５３１よりも係止部５４よりの上部と当接させることによって時計方向への回動を防止することにより、解除状態を維持するようにすればよい。
【００６１】
このようにリング機構５によってブラシローラ４２と吸液ローラ４３の解除を行うことにより、これらブラシローラ４２及び吸液ローラ４３と同時に解除されると共に、無端ベルト２３の表面からの解除量（離反距離）を等しくすることができる。このため、メンテナンス時のアクセスのし易さを、ブラシローラ４２と吸液ローラ４３とで同程度にすることができ、配置場所によって解除量が異なってしまう従来の問題は生じない。
【００６２】
また、本実施形態において、ブラシローラ４２は、駆動ローラ２１に架け渡されている部分の無端ベルト２３の表面に対して圧着及び解除されるように配置され、吸液ローラ４３は、この駆動ローラ２１から離れた無端ベルト２３の表面に対して圧着及び解除されるように配置されているため、無端ベルト２３の表面から等しい距離で離反させる場合、図３に示すように、ブラシローラ４２の離反時の移動方向ｄ１と吸液ローラ４３の離反時の移動方向ｄ２とは平行とはならない。
【００６３】
しかし、一つのリンクプレート５２によって２つの支持プレート５１Ａ、５１ＢをＹ字状にリンクさせ、その一つのリンクプレート５２によって各支持プレート５１Ａ、５１Ｂの一端部を互いに近接又は離反する方向に回動させる構成としたことにより、ブラシローラ４２と吸液ローラ４３の離反方向ｄ１、ｄ２が平行でなくても、両者の離反距離を容易に等しくすることができる。
【００６４】
特に、ブラシローラ４２及び吸液ローラ４３はそれぞれ清掃桶４４、４５内の清掃液と一部浸漬しているが、いずれの解除量を等しくできるので、一方が他方に対して清掃液に大きく浸漬してしまう不具合は生じないため、清掃液が溢れ出る問題は回避できる。
【００６５】
この離反距離（解除量）は、支持プレート５１Ａ、５２Ｂの長さ、回動軸５１１Ａ、５１１Ｂの位置、リンクプレート５２の移動量及び移動方向を適宜調整することによって容易に調整することができる。
【００６６】
圧着状態に復帰させる場合は、保持突起６３を退没させ、操作レバー５３を、付勢バネ５３３の付勢力によって、あるいはオペレータによる上方への回動操作によって回動させ、リンクプレート５２をガイド穴６１、６２に沿って無端ベルト２３から離反する方向に向けて下動させる。すると、リンクプレート５２の上方の回動軸５２１に共通に支持されている支持プレート５１Ａ、５１Ｂは、それぞれの回動軸５１１Ａ、５１１Ｂを中心にしてその一端部同士が互いに近接する方向に同時に回動する。この支持プレート５１Ａ、５１Ｂの回動によって、その一端部は無端ベルト２３の表面に対して近接する方向に移動し、該一端部に軸部４２１、４３１が回転可能に支持されているブラシローラ４２及び吸液ローラ４３を無端ベルト２３の表面に近接する方向に移動させ、ついには圧着させる。これにより、ブラシローラ４２及び吸液ローラ４３は、同時に圧着状態とされる。
【００６７】
その後、係止部５４の係止リング５４３をフック５５に係止させ、摘み片５４２を下方向に回動させることで、操作レバー５３は固定され、ブラシローラ４２及び吸液ローラ４３の圧着状態が保持される。
【符号の説明】
【００６８】
１：画像記録装置
２：ベルト搬送装置
２１：駆動ローラ（ベルト張架ローラ）
２２：従動ローラ（ベルト張架ローラ）
２３：無端ベルト
３：記録ヘッド
４：ベルトクリーニング装置
４１：散水パイプ
４１ａ：供給ポンプ
４１ｂ：散水チューブ
４２：ブラシローラ（清掃ローラ）
４２１：軸部
４３：吸液ローラ（清掃ローラ）
４３１：軸部
４４、４５：清掃桶
５：リンク機構
５１Ａ、５１Ｂ：支持プレート
５１１Ａ、５１１Ｂ：回動軸（固定支点）
５２：リンクプレート
５２１：回動軸（自由支点）
５２２：回動軸（自由支点）
５３：操作レバー
５３１：回動軸（固定支点）
５３２：端部
５３３：付勢バネ
５４：係止部
５４１：回動軸
５４２：摘み片
５４３：係止リング
５５：フック
６：側板
６１：突部
６２：フック取付け部
６３：保持突起
Ｐ：記録媒体
【図１】
2012116618.tif 000003
【図２】
2012116618.tif 000004
【図３】
2012116618.tif 000005
【図４】
2012116618.tif 000006
【図５】
2012116618.tif 000007